(57)【要約】【課題】エスカレーターの踏段などの固定方法として、口金部が分割タイプのものと、口金部が一体構造であるものとがある。前者は、メンテナンス時にピンが外れてステップを取り付けられないことがある。後者は、エスカレーターの傾斜部において取付けを行うことができない。【解決手段】軸への固定方法は、口金部は一体構造とし、軸と摺動する樹脂製のカラーの形状を円形に一部突起を持たせた卵型とする。移動段には樹脂製のカラーと同一形状の卵型の口金部を持たせ、このカラーを挿入後、ねじで固定する。樹脂製のカラーは移動段を挿入する際に、移動段に設けられた樹脂製のカラーと同形状の卵型の傾斜部に沿って樹脂製のカラーを誘導し、卵型の口金部に樹脂製のカラーを嵌め込む。【選択図】  図１
2016169087.tif 000002
【特許請求の範囲】
【請求項１】
軸に支持されるとともに、ねじを押し込むための貫通孔を有し、水平面を保持して移動する移動段の固定装置であって、
前記軸に回転自在に支持され、かつ軸方向に摺動可能に設置されたカラーと、
前記移動段を載設して前記貫通孔に対向するように挿通孔を形成するとともに、前記カラーを収納する口金部を一体で形成したフレームと、
このフレームに設けられた前記挿通孔に取付けられ、この挿通孔の軸方向に移動可能に設置されたねじと、
を有し、
前記カラーを前記口金部に収納し、前記ねじを移動することにより、このねじを当該収納したカラーに押し込んで、当該カラーを前記フレームに固定することで移動段を固定することを特徴とする移動段の固定装置。
【請求項２】
前記移動段は踏段であり、
前記カラーは、前記軸に垂直な断面の形状が卵型の樹脂製であって、
前記口金部は、前記軸に垂直な断面における輪郭形状の一部分が、前記カラーの外周形状と同一形状である凹部を形成していることを特徴とする請求項１に記載の移動段の固定装置。
【請求項３】
前記ねじは、先端部が円錐形状の樹脂または金属製であって、このねじを前記挿通孔の軸方向に移動させ前記カラーに当該先端部を埋設することにより、前記カラーを固定したことを特徴とする請求項１または請求項２に記載の移動段の固定装置。
【請求項４】
前記ねじは、先端部が胴部より細い円柱の樹脂または金属製のピン形状であって、前記カラーに前記ねじの先端部と同形状の穴を設け、前記ねじの先端部を前記カラーの穴に挿入することにより、前記カラーを固定したことを特徴とする請求項１または請求項２に記載の移動段の固定装置。
【請求項５】
前記ねじは、先端部が円錐形の樹脂または金属製のピン形状であって、前記カラーに前記ねじの先端部と同形状の穴を設け、前記ねじの先端部を前記カラーの穴に挿入することにより、前記カラーを固定したことを特徴とする請求項１または請求項２に記載の移動段の固定装置。
【請求項６】
前記カラーは、ねじ先端部のピンが挿入される穴の部分のみ金属製とし、その他の部分は樹脂としたことを特徴とする請求項４または請求項５に記載の移動段の固定装置。
【請求項７】
前記ねじは、ばねにより支持された、先端部が円柱形状の樹脂または金属製のピンであって、前記カラーが踏段の口金部に収納される際に、前記ねじを支持するばねにより、前記ねじの先端部を押し出し、前記カラーに設けた穴に挿入することにより、前記カラーを固定したことを特徴とする請求項４に記載の移動段の固定装置。
【請求項８】
請求項１から７のいずれか１項に記載の移動段の固定装置を備えたコンベア。
【請求項９】
水平面を保持して移動するとともに、ねじを押し込むための治具を通す貫通孔を持つ移動段の固定方法であって、
この移動段を支持する軸、
この軸に回転自在に支持され、軸方向に摺動可能に設置されたカラー、
前記移動段を載設して前記貫通孔に対向するように挿通孔を形成するとともに、前記カラ
ーを収納する口金部を一体で形成したフレーム、
このフレームに設けられた前記挿通孔に取付けられ、この挿通孔の軸方向に移動可能に設置されたねじ、
を用いて、
前記フレームを前記カラーの設置位置まで移動することにより、前記カラーを前記口金部に収容した後、前記治具により、前記カラーに前記ねじを押し込んで、当該カラーを前記フレームに固定することで移動段を固定することを特徴とする移動段の固定方法。
【発明の詳細な説明】
【技術分野】
【０００１】
この発明は、踏段軸を固定する口金部を一体型とするエスカレーターの踏段に代表される移動段を、容易に、かつ、安全に、どの位置においても着脱できるコンベアの移動段固定装置、この移動段固定装置を持つコンベア及びコンベアの移動段固定方法を得ることを目的とする。
【背景技術】
【０００２】
エスカレーターの踏段の固定方法として、踏段軸を固定する口金部が分割式で、装着子が回転し、踏段軸を挟み込んだ状態でボルトにて締め付けることで、踏段軸と踏段を固定するものがある（例えば、特許文献１参照）。この例では、エスカレーターの駆動系がある上部反転部を除いた任意の位置、言い換えると、傾斜部（昇降部とも呼ぶ。以下同様）、乗り降りする部分である水平部、あるいは下部反転部において、踏段を固定することが可能となる。
【０００３】
また、踏段軸を固定する口金部が一体型のものがある（例えば、特許文献２参照）。この特許文献２の発明では、ステップ（踏段とも呼ぶ。以下同様）をセットしてから樹脂製のカラー（特許文献２ではスリーブに相当）を横から差し込む必要があるため、昇降経路のなかで下部反転部でのみ、踏段の取り付けが可能となる。
【先行技術文献】
【特許文献】
【０００４】
【特許文献１】特開平７−３３０２６６号公報
【特許文献２】特開２００２−１６７１５４号公報
【発明の概要】
【発明が解決しようとする課題】
【０００５】
先行例１（特許文献１）では、踏段軸を固定する口金部が分割タイプであり、フレームに別部品である装着子をピンにて固定し装着子が回転可能である。この装着子を回転させ踏段軸に取り付けられた樹脂製のカラーを挟み込むことで踏段を踏段軸に固定する。口金の取り付け位置は踏段を昇降させる駆動用チェーンとの位置関係を基準としているため、この方式では、事前にチェーンと一体となった踏段軸に口金が取り付く樹脂製のカラーを位置決めし組み立ててから、エスカレーター枠体内部に取り付けており、この位置決めされた樹脂製のカラーを基準に踏段の口金部を取り付けるため、エスカレーターの駆動系がある上部反転部を除いた任意の位置、つまり傾斜部、水平部、あるいは下部反転部においても、チェーンとの位置関係がずれることなく踏段を取付けることができる。しかし、据え付け場所でメンテナンス時にピンが外れて装着子が落下したり、運転時に装着子または、ピンが破損し、踏段が外れたりすることがあり得る。また、口金部が分割タイプ（別部品）であるため、踏段が高価となる。
【０００６】
一方、先行例２（特許文献２）では、踏段軸を固定する口金部が一体構造となっている。この方式では、口金部の開口部の幅が円形の樹脂製のカラー（特許文献２ではスリーブに相当）よりも小さいため、踏段軸の軸長手方向に樹脂製のカラーを一旦退避させ、口金部の開口部の幅よりも軸径の小さい踏段軸を口金部に嵌め込んでから樹脂製のカラーを踏段軸の軸長手方向から口金部に挿入する必要がある。しかし、エスカレーターの傾斜部（昇降部）においては、踏段の左右に配置されたカバー等によりチェーンからの位置が確認できないため、チェーンとの位置関係が確認できる下部（上部反転部は駆動系があるため、装着不可）の踏段反転部でのみ位置決め、取り付けが可能となる。
【０００７】
つまり、従来の口金部一体方式では、踏段と踏段軸の位置合わせを、例えば、踏段を昇降するためのチェーンなどを基準として行い、その位置決めされた踏段に踏段軸の軸長手方向から樹脂製のカラーを挿入し、樹脂製のカラーの位置決めを行う位置決め用金具を沿わせて、その金具を固定している。
【０００８】
そのため、従来の口金部一体方式のエスカレーターでは、エスカレーターの傾斜部では、昇降する踏段と固定部との隙間を無くす目的で取り付けられているスカートガードが配置されていることと相まって、その外側に配置されたチェーンを基準とした位置決めができず、取付けを行うことが出来ない。
【０００９】
したがって、従来の口金部一体方式のステップを持つコンベアでは、コンベアの下部の移動段の反転部においてのみ、移動段を支持する軸の軸線方向つまり、軸の軸長手方向からカラーの挿入と位置決めができ、移動段の位置決めを含めた取り付けが可能となっている。言い換えると、コンベアの傾斜部では移動段の取り付け、取り外しが出来なかった。
【課題を解決するための手段】
【００１０】
この発明に係る移動段の固定装置は、
軸に支持されるとともに、ねじを押し込むための貫通孔を有し、水平面を保持して移動する移動段の固定装置であって、
前記軸に回転自在に支持され、かつ軸方向に摺動可能に設置されたカラーと、
前記移動段を載設して前記貫通孔に対向するように挿通孔を形成するとともに、前記カラーを収納する口金部を一体で形成したフレームと、
このフレームに設けられた前記挿通孔に取付けられ、この挿通孔の軸方向に移動可能に設置されたねじと、
を有し、
前記カラーを前記口金部に収納し、前記ねじを移動することにより、このねじを当該収納したカラーに押し込んで、当該カラーを前記フレームに固定することで移動段を固定するものである。
【００１１】
また、この発明に係る移動段の固定方法は、
水平面を保持して移動するとともに、ねじを押し込むための治具を通す貫通孔を持つ移動段の固定方法であって、
この移動段を支持する軸、
この軸に回転自在に支持され、軸方向に摺動可能に設置されたカラー、
前記移動段を載設して前記貫通孔に対向するように挿通孔を形成するとともに、前記カラーを収納する口金部を一体で形成したフレーム、
このフレームに設けられた前記挿通孔に取付けられ、この挿通孔の軸方向に移動可能に設置されたねじ、
を用いて、
前記フレームを前記カラーの設置位置まで移動することにより、前記カラーを前記口金部に収容した後、前記治具により、前記カラーに前記ねじを押し込んで、当該カラーを前記フレームに固定することで移動段を固定するものである。
【発明の効果】
【００１２】
この発明によれば、移動段と軸の連結を、その間に介在するカラーを用いて行うことにより、位置合わせ、位置固定、嵌め合わせを行うため、口金部一体方式でも、軸と移動段を位置決めすることが可能であり、隙間の防止と部品の離脱あるいは紛失を防止でき、これにより、隙間により発生する異音または、がたつきを無くすことができる。 また、口金部一体方式の課題とされている傾斜部での踏段の取り付けも可能であり、踏段の取付け作業が容易となる。
【図面の簡単な説明】
【００１３】
【図１】この発明の実施の形態１に係るエスカレーターの全体構成図、および踏段の要部側面の拡大図である。
【図２】この発明の実施の形態１に係るエスカレーターの踏段の要部側面図であり、踏段とカラーが離れている状態を示す図である。
【図３】この発明の実施の形態１に係るエスカレーターの踏段とカラーの接触初期の状態を示す図である。
【図４】この発明の実施の形態１に係るエスカレーターの踏段とカラーが完全に組み立てられた状態を示す図である。
【図５】この発明の実施の形態１に係るカラーと踏段の固定方式の説明図である。
【図６】この発明の実施の形態２に係るカラーと踏段の固定方式の説明図である。
【図７】この発明の実施の形態２に係るカラーと踏段の他の固定方式の説明図である。
【図８】この発明の実施の形態２に係るカラーと踏段の他の固定方式の説明図である。
【図９】この発明の実施の形態２に係るカラーと踏段の他の固定方式の説明図である。
【図１０】この発明の実施の形態３に係るカラーと踏段の固定方式の説明図である。
【発明を実施するための形態】
【００１４】
実施の形態１．
以下、この発明の実施の形態について図面を参照して説明する。
図１（ａ）は、この発明の実施の形態１に係るエスカレーターの全体構成図、図１（ｂ）は、図１（ａ）のＡで示す円形の点線で囲んだ部分の踏段本体１個分を拡大し、この踏段本体の主要部品の構成を示した図である。図１（ａ）に示したように、エスカレーターには、踏段本体１と、この踏段本体１を昇降させるチェーン２１と、このチェーン２１を駆動するためにエスカレーターの枠本体１９の上部に設置された駆動機２０と、踏段昇降時に、昇降部と固定部との間を仕切るスカートガード２２と、手すり２３が備えられている。上記踏段本体１には、図１（ｂ）に示すように、主な構成要素として、踏段本体１を移動用のチェーンを介して個別に固定支持するための踏段軸８、踏段２、ライザー３、踏段２とライザー３を取り付けるためのフレーム４、後輪である追従ローラー５が備えられている。また、フレーム４には、カラー取り付け部６、踏段軸８に回転自由に取り付けられており、踏段軸８の軸方向（軸長手方向に同じ。以下同様）に摺動可能な樹脂製のカラー７、この樹脂製のカラー７を収納する凹形状の収納部を有する口金部１０、樹脂製のカラー７を固定するねじ９が口金部１０のねじの挿通孔２６に備えられている。ここで、樹脂製のカラー７の踏段軸８に対する軸方向の位置決めは、位置決め用金具にて行われる。
【００１５】
図２は、この発明の実施の形態１に係るエスカレーターの踏段の要部側面図であり、踏段と樹脂製のカラーが離れている状態を示す図である。図２において、樹脂製のカラー７は、形状が卵型で、踏段２と踏段軸８の間に介在し、エスカレーター運転時において、踏段２がチェーンに固定されている踏段軸を中心にして回転する際に、摩耗を極力減らすために取り付けられている。また、樹脂製のカラー７が踏段に挿入されたのちに、樹脂製のカラー７の位置を固定するとともに、樹脂製のカラー７の離脱を防ぐために、この樹脂製のカラー７を固定する固定ねじ９が、ねじの挿通孔２６に取り付けられる。このねじの挿通孔２６は、その孔の位置が、踏段に設けられた貫通孔２５と互いに対向するように設けられている。
【００１６】
また、図２は、踏段２が樹脂製のカラー７に取り付けられる前の状態を示しており、踏段２を下側の矢印の方向に移動することにより、樹脂製のカラー７の外周形状と樹脂製のカラー７が接する。この場合、樹脂製のカラー７の卵型の外周形状と、輪郭が同形状の卵型である凹部を形成した口金部１０の前記カラーの収納部を有するフレーム４の突起部分であって、踏段の移動方向である右上の矢印の方向に対して９０度に近い方向の位置に、樹脂製のカラー７の、卵型をした外形の長軸方向の先端部分が接する。
【００１７】
また、図３は、この発明の実施の形態１に係るエスカレーターの踏段と樹脂製のカラーの接触初期の状態を示す図であって、踏段２の口金部１０が樹脂製のカラー７に接触した直後の状態を示す図である。
【００１８】
さらに、図４は、この発明の実施の形態１に係るエスカレーターの踏段と樹脂製のカラーが完全に組み立てられた状態を示す図であって、樹脂製のカラー７が踏段２の口金部１０に完全に収納された状態を示す図である。
【００１９】
本実施の形態１では、踏段２をエスカレーター本体、つまり踏段を昇降させるチェーン２１に取り付けられた踏段軸８に固定する際、踏段軸８に回転自由に固定された樹脂製のカラー７を、踏段２の口金部１０に挿入し、口金部１０の挿入面に樹脂製のカラー７が当たった後に樹脂製のカラー７の突起部の方向を変えることで、踏段２の口金部１０に樹脂製のカラー７が挿入される。この時、樹脂製のカラー７を踏段軸８に対して回転するだけで、踏段２の口金部１０に挿入することが出来る。
【００２０】
また、本実施の形態１では、特許文献１に示したような口金分離型と同様、図１(ａ)に示すように、エスカレーターの傾斜部Ｂ（四角形の破線で囲んだ部分）においても踏段を取り付け、位置決め、固定することが可能となる。この要因の１つとして、本実施の形態において、踏段２の口金部１０の凹状部分の形状と、樹脂製のカラー７の外周形状とが、その大半部分において同一輪郭である卵型形状であって、踏段に設けられた口金部１０の突起の方向が、踏段２が踏段軸８に挿入されていく方向に対して９０度の方向、つまり直角方向を向いていることが挙げられる。
【００２１】
これにより、樹脂製のカラー７を踏段２に挿入していく際、樹脂製のカラー７が踏段２の口金部１０の一部に接触した直後に、この口金部の樹脂製のカラー７との接触部分である挿入部に、樹脂製のカラーは、その突起部から順にカラーの全体が挿入されるが、この場合、樹脂製のカラー全体としての挿入方向は、踏段２への接触直後の挿入方向とは９０度の方向、つまり直角方向に次第に向きを変えつつ、口金部１０に挿入される。
【００２２】
すなわち、踏段２に設けられた、樹脂製のカラー７の外形と同一の輪郭形状である卵型の凹部を有する口金部１０に、樹脂製のカラー７を挿入することで、樹脂製のカラー７の突起の先端が口金部１０に挿入されたのち、踏段２に設けられた卵型の口金部１０の凹部の傾斜に導かれるように、樹脂製のカラー７が挿入される。この場合、樹脂製のカラー７の突起の方向は、挿入時の角度とは異なり、挿入時の角度に対して６０〜９０度の変化を与えられながら、口金部１０に挿入されていき、樹脂製のカラー７全体が、口金部１０の凹部である収納部の同一の輪郭形状部分に合わさるまで入り込み、この口金部１０の収納部に静止する。
【００２３】
しかし、踏段の口金部１０に挿入された樹脂製のカラー７は、静止した状態のままでは口金部１０に対して回転する恐れ、つまり卵型の突起の方向が変化し、口金部１０の収納部から離脱するように動くことが可能である。従って、この動きを停止させ、樹脂製のカラー７の突起方向の変化、および口金部１０からの離脱を防止するため、離脱しようとする方向に対して直角方向、または反対の方向から、樹脂または金属製のねじを用いて、樹脂製のカラー７の表面、または樹脂または金属製のねじが埋設できるよう樹脂製のカラー７に形作られた穴または凹みに、樹脂または金属製のねじを押し付ける。このようにすることで、踏段軸８に対して口金部１０から離脱する動きを停止させることができる。このようにすることで、口金部１０からの離脱を防止するとともに、樹脂製のカラー７の回転を停止させて、樹脂製のカラー７を固定する。
【００２４】
そこで以下では、樹脂または金属製のねじの固定を行う方式について説明する。この場合、樹脂または金属製のねじ先端部は、図５のように樹脂製のカラー７のねじ接触部分を金属製のねじの外形に合わせて凹ませ、その底形状を金属製のねじの先端部と同じ、平面、傾斜面、または凹凸面を有するものとする。そして、この凹ませた穴に樹脂または金属製のねじをねじ込んでいき、ねじ先端部の平面、傾斜面、あるいは凹凸面を、樹脂製のカラー７の凹面の底面に接触させることで樹脂製のカラー７の移動防止と位置の固定を行う。
【００２５】
以上をまとめると、本実施の形態のマンコンベアの踏段固定装置では、踏段軸への固定方法は、口金部は一体構造とし、踏段軸と摺動する樹脂製のカラーは、その外形を、円形に一部突起を持たせた卵型とすることを特徴とする。踏段には踏段軸と摺動する樹脂製のカラーと同一輪郭である卵型輪郭を一部に有する口金部を備え、樹脂製のカラーを挿入後、樹脂製のカラーの回転を防止するようにねじにて固定する。樹脂製のカラーは、踏段を挿入する際に、踏段に設けられた樹脂製のカラーと同一輪郭の卵型輪郭の部分に沿って誘導され、踏段から踏段軸が抜ける方向と９０度の方向、つまり直角方向を向いた卵型輪郭を一部に持つ口金部に嵌め込まれる。外形が卵型の樹脂製のカラーが嵌め込まれた状態から、樹脂製カラーの突起部の方向が、卵型輪郭の口金部から抜け出る方向に変化しないように、また、踏段の口金部と卵型の樹脂製のカラーとの隙間を無くす目的で、この樹脂製のカラーの突起の先端に近い部分を、この突起の先端の向いている方向に対して９０°方向から、ねじによる固定または口金部の突起の対向面への押し付けを行う。
【００２６】
以上説明したように、従来の口金部一体方式では、エスカレーターの下部の踏段反転部においてのみ、踏段軸の軸線方向、つまり踏段軸の軸長手方向からだけ、樹脂製のカラーの挿入と位置決めができ、踏段の位置決めを含めた取り付けが可能となっていたのに対して、本実施の形態に係るエスカレーターの踏段の固定方式においては、エスカレーターの下部の踏段反転部だけでなく、エスカレーターの傾斜部でも踏段の取り付け、取り外しが可能となるという効果がある。
【００２７】
実施の形態２
図６に、この発明の実施の形態２に係る樹脂製のカラーと踏段の固定方式の説明図を示す。樹脂製のカラー７を固定するための樹脂または金属製のセットねじ１４の先端部（踏段が固定された状態において、セットねじのうち、樹脂製のカラー７の外形線より内側のカラーの領域に入り込んだ部分を意味する。以下同様）を円錐または半円球形状の突型とし、この樹脂または金属製のセットねじ１４を樹脂製のカラー７に接触するまで回転させながらねじ込み、その後、樹脂または金属製のセットねじ１４の先端部を、さらにねじのトルクを利用し、樹脂製のカラー７に食い込むまでねじ込むことで、その形状を樹脂製のカラー７に転写、または埋設させることが可能となる。
【００２８】
これにより実施の形態１に示した如く、踏段２からの離脱を防止するとともに、樹脂製のカラー７の回転を防止し、その回転を停止させることで、樹脂製のカラー７を固定する。上述の、セットねじ１４のトルクを利用し、樹脂製のカラー７に食い込むまでセットねじ１４をねじ込むことにより、その形状を樹脂製のカラー７に転写、または埋設させることで、固定される樹脂製のカラー７に設けられた樹脂または金属製のセットねじ１４の埋設痕とねじ込まれたセットねじ１４のねじの形状が同一形状となることから、セットねじ１４を締め付けることで、樹脂製のカラー７とセットねじ１４の先端部の形状には隙間、あるいはガタが無くなり、樹脂製のカラー７の移動防止と位置の固定を行うことができる。
【００２９】
また、図７に示すように、樹脂製のカラー７に挿入される樹脂または金属製のセットねじ１５の先端部を円筒形のピン形状とし、樹脂製のカラー７には先端部分がピン形状のねじの先端部と同一形状の円筒形のピン穴を設け、樹脂製のカラー７を口金部１０に挿入した後、口金部１０に取り付けている先端部が円形のピン形状となった樹脂または金属製のねじを樹脂製のカラー７の穴にねじ込みながら挿入していくことで、樹脂製のカラー７の移動防止と位置固定を行うことができる固定方式がある。
【００３０】
また、図８に示すように、樹脂製のカラー７に挿入される樹脂または金属製のセットねじ１６の先端部を円錐形のピン形状とし、樹脂製のカラー７には先端がピン形状のねじの先端部と同一形状の円錐形のピン穴を設けた固定方式がある。この樹脂製のカラー７を口金部１０に挿入した後、口金部１０に取り付けている先端部が円錐形のピン形状となった樹脂または金属製のセットねじ１６を、樹脂製のカラー７の穴にねじ込みながら挿入していくことで、樹脂または金属製のセットねじ１６の先端部の円錐形状の部分と、樹脂製のカラー７に設けられた先端部をピン形状のセットねじ１６の先端部と同一形状の円錐形としたピン穴が、このピンと密着し、樹脂製のカラー７に設けられた円錐形のピン穴とセットねじ１６に設けた円錐形の先端部分には一切の隙間、ガタが無くなり、樹脂製のカラー７の移動防止と位置の固定を行うことができる。
【００３１】
さらに、樹脂製のカラー７の固定を行う際に発生する可能性のある、先端部がピン形状の樹脂または金属製のセットねじと樹脂製のカラー７の間における、踏段の取り付け、取り外しによる樹脂製のカラー７の摩耗または欠けを防止する方策として、図９に示すように、外形が卵型の樹脂製のカラー７の外観は樹脂製のままとし、樹脂または金属製のねじ先端部のピンが挿入される穴のみ、金属製の円筒形、または円錐形のある一定以上の厚みを持ったパイプ状のピン挿入穴（摩耗抑制カラー）１７とする固定方式がある。これにより、踏段の取り付け、取り外しによる卵型の樹脂製のカラー７の摺動部の耐摩耗性を向上させ、セットねじの先端部を円形のピン形状として、樹脂または金属製のピンが挿入される穴に発生する摩耗を減らすことができる。
【００３２】
なお、踏段側に取り付けられた、樹脂製のカラー７に挿入されるセットねじの材質を樹脂とした場合は、セットねじの方が摩耗して取り換えの必要性が発生するが、セットねじの場合には容易に取り換えが可能となる。また、卵型の樹脂製のカラー７の材質は樹脂製のままとし、樹脂または金属製のセットねじ先端部のピンが挿入される穴の、材質、形状を、金属製の円筒形、または円錐形のある一定以上の厚みを持ったパイプ状とすることで、踏段軸８との接触部も樹脂のまま使用可能となり、踏段軸８との摩耗も回避できる。このことは、本実施の形態に関わらず、実施の形態１あるいは以下で説明する実施の形態３でも同様に適用可能である。
【００３３】
実施の形態３
図１０に、この発明の実施の形態３に係る樹脂製のカラーと踏段とを固定する方式の説明図を示す。踏段には、樹脂製のカラー７が挿入される口金部１０の卵形の収納部の先端付近にばね１８によって支持されたストッパーピン１１が設置されている。卵型の樹脂製のカラー７が挿入されていく際には、卵型の樹脂製のカラー７に押されて、口金部１０に収納されるため、口金部の最終固定位置まで挿入された樹脂製のカラー７に設けられた穴を、収納されたばね１８によって支持されたストッパーピン１１の設置位置と同位置まで挿入し、その位置で樹脂製のカラー７に押し込まれたストッパーピン１１が、ばね１８の力によって押し出され、樹脂製のカラー７に設けられた穴に嵌まり込む。これにより、踏段２を樹脂製のカラー７に挿入していくだけで、踏段２の口金部１０と踏段軸８の固定が
可能となり、踏段２と樹脂製のカラー７が離脱することもない。
【００３４】
この場合、踏段２の口金部１０に、樹脂製のカラー７に対して押付け力を持たせたセットばねによって支持されたストッパーピン１１は、樹脂製のカラー７を挿入した際に、樹脂製のカラー７に押されて口金部１０内に収納され、樹脂製のカラーが踏段の口金部の収納部に完全に挿入された時点、つまり樹脂製のカラー７に挿入されるストッパーピンの位置と、樹脂製のカラー７に設けられた穴の位置がぴったり合った時に、セットばねがストッパーピンを押し出す作用が働き、セットばねの押付け力によって樹脂製のカラー７に設けられた穴にストッパーピン１１が嵌まり込む。
【００３５】
また、踏段２を樹脂製のカラー７から取り外す場合は、踏段の踏み面に設けられた貫通孔２５から専用の治具を挿入し、ストッパーピン１１と一体となったフック２４の先端の穴に治具を差し込み、ストッパーピン１１を引きあげることで、ストッパーピン１１が踏段に固定された樹脂製のカラー７から引き抜かれ、樹脂製のカラー７が回転することが可能となり、踏段２と樹脂製のカラー７を分離することが可能となる。
【００３６】
さらに、踏段を樹脂製のカラー７から取り外すために、踏み面に設けられた貫通孔２５から専用の治具を挿入し、この治具をストッパーピン１１と一体となったフック先端の穴に差し込み、ストッパーピン１１を引きあげることで樹脂製のカラー７にストッパーピン１１を押し付けているばねを圧縮し、踏段側のばね当たり面と密着するまで引き上げる。これにより、踏段２の口金部１０樹脂製のカラー７は分離することが可能であるが、それ以上にストッパーピン１１に引っ掛けている治具を引き上げることで踏段２を持ち上げることが可能となり、踏段２の取り付け、取り外し時に隣り合う踏段に指等を挟み込まれることもなく作業を行うことが可能となる。
【００３７】
なお、以上においては、マンコンベアとしてエスカレーターを例にして説明したが、これに限らず、動く歩道等、いわゆるエスカレーター以外の移動装置においても同様に適用可能である。また、以上において、マンコンベアは人の移動に限らず、荷物などを移動するものであっても良く、これらの事情を考慮すれば、踏段は移動段とも称することができる。この場合、踏段軸は移動段軸と呼んでもよく、両方を併せて単に軸と呼んでもよい。また、カラーは樹脂製のものを例にして説明したが、踏段の取り付け、取り外しによる耐摩耗性を有するものであって、踏段軸の軸方向に摺動可能なものであれば、樹脂製以外のカラーであっても適用可能である。なお、本発明は、その発明の範囲内において、各実施の形態を自由に組み合わせたり、各実施の形態を適宜、変形、省略することが可能である。
【符号の説明】
【００３８】
１  踏段本体、２  踏段、３  ライザー、４  フレーム、５  追従ローラー、６  カラー取り付け部、７  樹脂製のカラー、８  踏段軸、９  固定（セット）ねじ、１０  口金部、１１ ストッパーピン、１２  ばね、１３  ピン、１４  セットねじ（先端部鋭角）、１５  セットねじ（先端部ピン形状）、１６  セットねじ（先端部円錐形状）、１７  ピン挿入穴（摩耗抑制カラー）、１８  押し付けばね、  １９  枠本体、２０  駆動機、２１  チェーン、２２  スカートガード、２３  手すり、２４  フック、２５  貫通孔、２６  挿通孔
【図１】
2016169087.tif 000003
【図２】
2016169087.tif 000004
【図３】
2016169087.tif 000005
【図４】
2016169087.tif 000006
【図５】
2016169087.tif 000007
【図６】
2016169087.tif 000008
【図７】
2016169087.tif 000009
【図８】
2016169087.tif 000010
【図９】
2016169087.tif 000011
【図１０】
2016169087.tif 000012